(57)【要約】【課題】  無線タグを物に装着するために、カード状や棒状、コイン状のタグにするには、カードや棒、コインの形に成型するコストがかかる。そのため、よりコストのかからない無線タグの装着方法が望まれている。また、輻輳制御機能を無線タグに組込むことは、無線タグのコストが上がるため、輻輳制御機能を持たない無線タグを使って、箱の中に入っている商品の確認をすることが望まれている。【解決手段】  商品或いはサービスを識別するための情報を記憶する記憶部と、記憶部に記憶された情報を送受信する送受信部とを各々備える輻輳制御機能を持たない複数の無線タグの、各記憶部に記憶された特定の事項を示すための二進数で表したＮビットの検査情報を一括して受信し、検査情報の整合性を判定するようにする。【選択図】    図２０
2005209215.tif 000002
【特許請求の範囲】
【請求項１】
商品或いはサービスを識別するための情報を記憶する記憶部と、該記憶部に記憶された前記情報を送受信する送受信部とを各々備える複数の無線タグの、各前記記憶部に記憶された特定の事項を示すための二進数で表したＮビットの検査情報を一括して受信し、該検査情報の整合性を判定する
ことを特徴とするリーダ。
【請求項２】
商品或いはサービスを識別するための情報を記憶する記憶部と、該記憶部に記憶された前記情報を送受信する送受信部とを各々備える複数の無線タグの、各前記記憶部に記憶された特定の事項を示すための二進数で表したＮビットの検査情報と、該検査情報の０又は１の数を二進数で表した確認子とを一括して受信し、前記検査情報の０又は１の数と前記確認子が表す０又は１の数とが一致するかどうかを判定する
ことを特徴とするリーダ。
【請求項３】
請求項２に記載のリーダにおいて、
前記検査情報は、特定の商品或いはサービスの種別を識別するための情報である
ことを特徴とするリーダ。
【請求項４】
請求項２に記載のリーダにおいて、
前記検査情報は、特定の商品或いはサービスを識別するための情報である
ことを特徴とするリーダ。
【請求項５】
商品或いはサービスを識別するための情報を記憶する記憶部と、該記憶部に記憶された前記情報を送受信する送受信部とを各々備える複数の無線タグの、各前記記憶部に記憶された特定の商品或いはサービスの種別を識別するための情報及び特定の商品或いはサービスを識別するための情報とは別の、個々の商品或いはサービスを識別するための二進数で表した所定のビット数の個品番号と、該個品番号の０又は１の数を二進数で表した確認子とを一括して受信し、前記個品番号の０又は１の数と前記確認子が表す０又は１の数とが一致するかどうかを判定する
ことを特徴とするリーダ。
【請求項６】
商品或いはサービスを識別するための情報を記憶する記憶部と、該記憶部に記憶された前記情報を送受信する送受信部とを各々備える複数の無線タグの、各前記記憶部に記憶された特定の事項を示すための二進数で表したＮビットの検査情報を各前記無線タグ毎に受信し、受信した各前記検査情報の論理和をとった後に、論理和をとった前記検査情報の整合性を判定する
ことを特徴とするリーダ。
【請求項７】
商品或いはサービスを識別するための情報を記憶する記憶部と、該記憶部に記憶された前記情報を送受信する送受信部とを各々備える複数の無線タグの、各前記記憶部に記憶された特定の事項を示すための二進数で表したＮビットの検査情報と、該検査情報の０又は１の数を二進数で表した確認子とを各前記無線タグ毎に受信し、受信した各前記検査情報と各前記確認子との論理和をとった後に、論理和をとった前記検査情報の０又は１の数と前記確認子が表す０又は１の数とが一致するかどうかを判定する
ことを特徴とするリーダ。
【請求項８】
請求項７に記載のリーダにおいて、
前記検査情報は、特定の商品或いはサービスの種別を識別するための情報である
ことを特徴とするリーダ。
【請求項９】
請求項７に記載のリーダにおいて、
前記検査情報は、特定の商品或いはサービスを識別するための情報である
ことを特徴とするリーダ。
【請求項１０】
商品或いはサービスを識別するための情報を記憶する記憶部と、該記憶部に記憶された前記情報を送受信する送受信部とを各々備える複数の無線タグの、各前記記憶部に記憶された特定の商品或いはサービスの種別を識別するための情報及び特定の商品或いはサービスを識別するための情報とは別の、個々の商品或いはサービスを識別するための二進数で表した所定のビット数の個品番号と、該個品番号の０又は１の数を二進数で表した確認子とを各前記無線タグ毎に受信し、受信した各前記個品番号と各前記確認子との論理和をとった後に、論理和をとった前記個品番号の０又は１の数と前記確認子が表す０又は１の数とが一致するかどうかを判定する
ことを特徴とするリーダ。
【請求項１１】
商品或いはサービスを識別するための情報を記憶する記憶部と、該記憶部に記憶された前記情報を送受信する送受信部とを各々備える複数の無線タグの、各前記記憶部に記憶された特定の事項を示すための二進数で表したＮビットの検査情報を一括して読み取るステップと、該検査情報の整合性を判定する判定ステップとを有する
ことを特徴とする識別方法。
【請求項１２】
商品或いはサービスを識別するための情報を記憶する記憶部と、該記憶部に記憶された前記情報を送受信する送受信部とを各々備える複数の無線タグの、各前記記憶部に記憶された特定の事項を示すための二進数で表したＮビットの検査情報と、該検査情報の０又は１の数を二進数で表した確認子とを一括して読み取るステップと、前記検査情報の０又は１の数と前記確認子が表す０又は１の数とが一致するかどうかを判定する判定ステップとを有する
ことを特徴とする識別方法。
【請求項１３】
請求項１２に記載の識別方法において、
前記検査情報は、特定の商品或いはサービスの種別を識別するための情報である
ことを特徴とする識別方法。
【請求項１４】
請求項１２に記載の識別方法において、
前記検査情報は、特定の商品或いはサービスを識別するための情報である
ことを特徴とする識別方法。
【請求項１５】
商品或いはサービスを識別するための情報を記憶する記憶部と、該記憶部に記憶された前記情報を送受信する送受信部とを各々備える複数の無線タグの、各前記記憶部に記憶された特定の商品或いはサービスの種別を識別するための情報及び特定の商品或いはサービスを識別するための情報とは別の、個々の商品或いはサービスを識別するための二進数で表した所定のビット数の個品番号と、該個品番号の０又は１の数を二進数で表した確認子とを一括して読み取るステップと、前記個品番号の０又は１の数と前記確認子が表す０又は１の数とが一致するかどうかを判定する判定ステップとを有する
ことを特徴とする識別方法。
【請求項１６】
商品或いはサービスを識別するための情報を記憶する記憶部と、該記憶部に記憶された前記情報を送受信する送受信部とを各々備える複数の無線タグの、各前記記憶部に記憶された特定の事項を示すための二進数で表したＮビットの検査情報を各前記無線タグ毎に読み取るステップと、読み取った各前記検査情報の論理和をとった後に、論理和をとった前記検査情報の整合性を判定する判定ステップとを有する
ことを特徴とする識別方法。
【請求項１７】
商品或いはサービスを識別するための情報を記憶する記憶部と、該記憶部に記憶された前記情報を送受信する送受信部とを各々備える複数の無線タグの、各前記記憶部に記憶された特定の事項を示すための二進数で表したＮビットの検査情報と、該検査情報の０又は１の数を二進数で表した確認子とを各前記無線タグ毎に読み取るステップと、読み取った各前記検査情報と各前記確認子との論理和をとった後に、論理和をとった前記検査情報の０又は１の数と前記確認子が表す０又は１の数とが一致するかどうかを判定する判定ステップとを有する
ことを特徴とする識別方法。
【請求項１８】
請求項１７に記載の識別方法において、
前記検査情報は、特定の商品或いはサービスの種別を識別するための情報である
ことを特徴とする識別方法。
【請求項１９】
請求項１７に記載の識別方法において、
前記検査情報は、特定の商品或いはサービスを識別するための情報である
ことを特徴とする識別方法。
【請求項２０】
商品或いはサービスを識別するための情報を記憶する記憶部と、該記憶部に記憶された前記情報を送受信する送受信部とを各々備える複数の無線タグの、各前記記憶部に記憶された特定の商品或いはサービスの種別を識別するための情報及び特定の商品或いはサービスを識別するための情報とは別の、個々の商品或いはサービスを識別するための二進数で表した所定のビット数の個品番号と、該個品番号の０又は１の数を二進数で表した確認子とを各前記無線タグ毎に読み取るステップと、読み取った各前記個品番号と各前記確認子との論理和をとった後に、論理和をとった前記個品番号の０又は１の数と前記確認子が表す０又は１の数とが一致するかどうかを判定する判定ステップとを有する
ことを特徴とする識別方法。
【発明の詳細な説明】
【技術分野】
【０００１】
本発明は、非接触ＩＣチップを使った簡易装着無線タグと無線タグ装着装置に係るものである。すなわち、本発明は、非接触のＩＣチップを利用して偽造防止を図る、無線タグのリーダ、及び無線タグの識別方法に関する。
【背景技術】
【０００２】
従来の無線タグの作成方法は、無線タグが安価でないので耐久性などを持たせるために、一般にコストのかかる方法が使われている。カード状のタグを作る方法としては、ＰＥＴのシートの上にアンテナを金属製のインクやアルミ蒸着などで成型して無線タグ用のチップをのせて、それをカード状のタグの中に入れ、カード状のタグを作る。棒やコイン状のタグを作る方法は、金属製のアンテナを無線タグ用のチップに接続し、それをプラスチックの棒状やコイン状の物に入れ、棒やコイン状のタグを作る。
【０００３】
無線タグを物に装着するためのコストも安価ではない。作成された無線タグを物に装着するには、無線タグに粘着テープや粘着材を貼付け、物に貼ったり、物の中に埋め込んだりする方法がとられている。粘着テープを無線タグに貼り付けるだけで、コストは上昇する。
【０００４】
無線タグを物に装着するためのコストも安価ではない。作成された無線タグを物に装着するには、無線タグに粘着テープや粘着材を貼付け、物に貼ったり、物の中に埋め込んだりする方法がとられている。粘着テープを無線タグに貼り付けるだけで、コストは上昇する。
【０００５】
従来の無線タグには、輻輳制御機能を持っている物が多い。輻輳制御機能とは、複数の無線タグが同時にリーダライタの読取り範囲に入っている場合、無線タグが同時に応答しないで、個々に応答するように制御する機能である。個々に応答するように制御することにより、リーダライタは、個々の無線タグのデータを読取ることができるようになる。輻輳制御機能を実現するためには、リーダライタと無線タグの間で通信の順番を決めるプロトコルを実行する必要があるため、無線タグもリーダライタ（リーダ）も機構が複雑になり、コスト上昇を招く。
【０００６】
輻輳制御機能がない無線タグは、コストが低いが、リーダライタの読取り範囲に複数の無線タグが入った場合、応答を同時に返すようなことが起こり、リーダライタから見て、無線タグの個別のデータを読取ることができなくなる。
【発明の開示】
【発明が解決しようとする課題】
【０００７】
無線タグを物に装着するためには、カード状や棒状、コイン状のタグにして、粘着テープや粘着材を塗布する必要があり、装着にコストがかかる。無線タグをたくさん使う応用にとっては、無線タグの装着のコスト上昇は、無線タグを使う上での障害となる。
【０００８】
無線タグのコスト上昇は、無線タグを使う上での障害となるため、輻輳制御機能がない安価な無線タグを使用することが望まれる。そのため、リーダライタの読取り範囲に輻輳制御機能を持たない無線タグが複数入る状況が生じる場合、複数の無線タグのデータを確認できることが必要となる。たとえば、箱の中に複数の物が入っているかを確認するために、輻輳制御機能を持たない無線タグが利用可能であれば、安価な無線タグを使うことができ、コスト上有利になる。
【０００９】
本発明は、コスト面に優れた無線タグのリーダ、及び無線タグの識別方法を提供することを目的とする。
【課題を解決するための手段】
【００１０】
本願において開示される発明のうち、代表的なものの概要を簡単に説明すれば以下のとおりである。
【００１１】
すなわち、本発明のリーダは、商品或いはサービスを識別するための情報を記憶する記憶部と、該記憶部に記憶された前記情報を送受信する送受信部とを各々備える複数の無線タグの、各前記記憶部に記憶された特定の事項を示すための二進数で表したＮビットの検査情報を一括して受信し、該検査情報の整合性を判定することを特徴としたものである。
【００１２】
また、本発明の識別方法は、商品或いはサービスを識別するための情報を記憶する記憶部と、該記憶部に記憶された前記情報を送受信する送受信部とを各々備える複数の無線タグの、各前記記憶部に記憶された特定の事項を示すための二進数で表したＮビットの検査情報を一括して読み取るステップと、該検査情報の整合性を判定する判定ステップとを有することを特徴としたものである。
【００１３】
本発明において、無線タグを物に装着するために、無線タグのアンテナを金属のワイヤーで実現し、その金属のワイヤーのアンテナを使って物（商品或いは商品付随物）に装着する。たとえば、金属のワイヤーのアンテナを折り曲げ、先端部分をシートやラベルに差し込み、その先端部分をホッチキスの芯のように折り曲げることにより装着する。このようにすることにより、カードや棒、コインの形に成型するコストが削減され、粘着テープなどの材料費の削減が可能となる。尚、詳しい作用に関しては、次の実施の形態の項で説明する。
【００１４】
また、本発明において、輻輳制御機能を持たない無線タグで、複数の無線タグを同時に読んでも、箱の中のものが確認できるように、無線タグのデータを設定する。たとえば、一つの箱の中に無線タグをつけた複数の組み合わせ商品を入れ、箱の外から無線タグのデータを使って商品の数を確認するためには、箱の中に入れる商品の種別に対応して“１”であるデータフィールドを用意する。リーダライタで無線タグの内容を読取り、データフィールドの中で商品の種別を示すデータが“１”であれば、その商品が入っていることを確かめることができる。これは、複数の無線タグのデータを同時に読取ると、すべてのデータの論理和がとられることを利用する。尚、詳しい作用に関しては、次の実施の形態の項で説明する。
【発明の効果】
【００１５】
本発明によれば、無線タグを装着するために、無線タグのアンテナを使って実装することにより、実装コストを下げることができるという効果を奏する。輻輳制御がない安価な無線タグを使っても、データとして商品の種別に対応して“１”であるデータフィールドを用意することにより、その商品がそろっていることを確かめることができるという効果を奏する。
【発明を実施するための最良の形態】
【００１６】
本発明の特徴は、後述する実施の形態の中で記述する。
【実施例１】
【００１７】
以下、図面を参照して本発明の実施の形態を説明する。
【００１８】
図１に無線タグ用のＩＣチップの構成を示す。非接触ＩＣチップ１０２は、アンテナ部１０４と電源部１０６、論理部１０８、メモリ部（記憶部）１１０からなる。非接触ＩＣチップ１０２は、接点を持たず、リーダライタからアンテナ部１０４に電波を送ることにより、電源の供給及びクロック、データの送受信を行う。アンテナ部１０４は外に付けられたアンテナから電波を受信し、内部のデータを外に送信するためのものである。本発明では、マイクロ波を使う無線タグを想定しているが、リーダライタと無線タグのアンテナ部の非接触通信方式として、電磁誘導などいくつかの方法がある。本発明は、非接触通信方式に依存せず、どれにも適用できる。
【００１９】
無線タグ用のＩＣチップの動作について説明する。リーダライタからの電波をアンテナ部１０４で受け、電源部１０６で電源に変え、ＩＣチップ全体の回路で使用する電源を生成する。アンテナ部１０４で受けた電波からは、クロック成分を取り出し、ＩＣチップ全体の回路のクロックとして使用される。論理部１０８は、リーダライタから送られてきた指令に従い、処理を行う。メモリ部１１０は、ＩＣチップに記憶すべき情報、すなわち、商品を識別するための情報を格納する領域である。本発明の無線タグのＩＣチップとしては、メモリ部にＲＯＭが使われている物も使用する。ＲＯＭ型無線タグのデータは工場で製造時に書き込んでしまうため、顧客にタグがわたっても、そのデータを変更したりすることができない。データを無線タグがリーダライタに送る場合は、リーダライタから受取ったマイクロ波を電源として、アンテナ部１０４を送信機として使い、メモリの内容をリーダライタに送り返す。
【実施例２】
【００２０】
図２に、本実施例で使用する無線タグを示す。この無線タグは、無線タグのＩＣチップが組込まれている部品３０２とアンテナ３０４、３０６からなる。アンテナには、金属のワイヤーなど電気を通す線材を使用したものである。本発明の実施例は、図３に示すように両方のアンテナ４０４と４０８の途中から９０度に先端部分を内側に曲げたものである。曲げた部分である足４０６と４１０は、ホッチキスの芯のように紙やシートに差込み曲げることにより、商品などに固定するためのものである。図４に、アンテナ５０４と５０８をシート５１２に差込み、先端部分をホッチキスのように内側に曲げて、シート５１２に固定した状態を示す。足５０６と５１０をそれぞれ内側に９０度曲げ、その曲げた５０６と５１０によって無線タグをシート５１２に固定する。
【実施例３】
【００２１】
図５は、本発明の別の実施例である。無線タグのＩＣチップを内蔵した部品６０２からワイヤーでできたアンテナ６０４と６０６をまっすぐ出した無線タグである。アンテナ６０４と６０６を紙やシートなどに差込み、先端部分を外側に９０度折り曲げることにより、装着する。図６は、ＩＣチップを内蔵した部品７０２からワイヤーでできたアンテナ７０４と７０６をまっすぐ出した無線タグのアンテナ７０４と７０６を外側に折り曲げてシート７０８に固定した状態を示す。
【実施例４】
【００２２】
図７は、図３の実施例を変形したものである。無線タグは、アンテナの水平方向の部分（水平な部分）である水平部８０４と８０８が長いほうが、リーダライタとの通信能力が一般に優れている。図７の無線タグは、図３の無線タグに比べてアンテナの水平部８０４と８０８を長くしたものである。ここで、８０２はＩＣチップを内蔵した部品であり、８０６と８１０はアンテナの途中から９０度に先端部分を内側に曲げた足である。
【００２３】
図８は図７の無線タグをシート９１２に実装した状態を示す。アンテナの水平部９０４と９０８が長いために、水平部が短い図３の無線タグに比べて、通信性能が優れている。ここで、９０２はＩＣチップを内蔵した部品であり、９０６と９１０はアンテナの途中から９０度に先端部分を内側に曲げた足である。
【実施例５】
【００２４】
図９は、図３あるいは図７の無線タグをシート１０１２に装着する場合、足１００６と１０１０を外側に９０度折り曲げて、装着したものである。アンテナの長さが水平部１００４と足１００６、水平部１００８と足１０１０の長さの合計となり、足１００６と１０１０を内側に曲げた場合（図９参照）よりも通信性能が優れるという特徴がある。
【００２５】
無線タグを商品などの物につける方法は、無線タグのアンテナの足を使う以外に、図２７に示すように、無線タグのアンテナ２８０４（或いはアンテナ２８０８）の先に物に固定する器具、たとえば、紙バサミや安全ピン、クリップ２８０６などのような物を付ける（固定部を設ける）ことにより、行うことも可能である。このようにすることにより、図１８のような無線タグ実装装置を使わなくても固定することが可能となる。
【実施例６】
【００２６】
図１０は、図３あるいは図７の無線タグのＩＣチップを内蔵した部品１１１２とアンテナ１１０４と１１０８の接続を補強した補強部１１０２を有する無線タグの実施例である。図１１は、図１０の無線タグのアンテナ１１０４と１１０６、１１０８と１１１０を不導電性の物質１２１４と１２１６、１２１８と１２２０で覆ったものである。これは、接続するシートが導電性あるいは水などがかかって導電性を示すようになった場合、アンテナ性能を改善するために不導電性の物質でアンテナ１２０４と１２０６、１２０８と１２１０を覆ったものである。無線タグのＩＣチップを内蔵した部品１１１２は補強部１３０２で補強する。
【実施例７】
【００２７】
図１２は、不導電性の線材（固定部材）１３０６と１３１４と１３１０に、足が曲がっていないアンテナ１３０４と１３０８の無線タグを接着したものである。アンテナ１３０４と１３０８が、補強部１３０２で補強された部品１３１２に格納されている無線タグのチップにおけるアンテナの役割を果たす。この場合、アンテナの役割を果たす部分は、シートに固定するための足１３０６と１３１０として使用していない。この実装方法を変形した実施例としては、図２６のような実装方法がある。無線タグをビニールなどでできた線材２７１４（固定部材）に固定し、ビニールの線材２７１４をシート２７１０に差込み、先端をＴ字（２７０６）に曲げて、脱落しないようにした実施例である。
【実施例８】
【００２８】
図１３は、図１０の無線タグを模式化したものである。１４０２が１１０２、１１１２に対応し、１４０４と１４０６、１４０８と１４１０が１１０４と１１０６、１１０８と１１１０に対応する。図１４は、図１３の無線タグを複数結合したものである。すなわち、無線タグ１５０２を複数個結合して、ホッチキスの芯のようにしたものである（無線タグ束）。図１４の無線タグの束を作る方法の一つに、図１５のような、それぞれの無線タグ１６０２と１６０４を粘着材１６０６で結合する方法がある。これにより、複数の無線タグを束にすることができる。尚、粘着材１６０６で結合しても分離可能であるものとする。
【実施例９】
【００２９】
図１６は、アンテナ１７０４と１７０６が曲がっていない無線タグ１７０２をチューブ１７０８（長尺な部材）に入れたものである。このチューブ１７０８は無線タグ１７０２を保護するための役割を果たす。図１７は、複数の無線タグ１８０２と１８０４と１８０６を一つのチューブ１８０８に入れたものである（無線タグ部材。無線タグはこの数に限るものではなく、無線タグ部材は長いものとする）。それぞれの無線タグは、粘着材等でチューブ１８０８に固定する。無線タグが複数入った無線タグのチューブ１８０８は、一定間隔で複数の無線タグを装着するために使うことができる。たとえば、道路脇に設置して電子杖などとともに使用すれば、身体の不自由な人への提供も可能になる。
【実施例１０】
【００３０】
図１８は、図１４あるいは図１５の無線タグ束（無線タグ単体を排除するものではない）をシートや紙に装着するための無線タグ装着装置である。本無線タグ装着装置の上部１９０２と下部１９１８が接続部１９２０で接続され、上部１９０２と下部１９１８が接続部１９２０を中心として動くものである。上部１９０２と下部１９１８の間にシートや紙などをはさみ、上部１９０２を下部１９１８に押し付けると、無線タグ１９０４の足（アンテナ）がシートに刺さる。さらに押し付けると、図４、図６、図８、図９のように無線タグの足の部分が曲がり、無線タグがシートに装着される。格納部１９０６は無線タグ１９０４の束（無線タグ束）を格納するためのものであり、板１９０８は、ばね１９１０で無線タグ１９０４の束を前に押し出すためのものである。上部１９０２と下部１９１８にシートをはさみ、上部１９０２を下部１９１２に押し付けると、押し出し部１９１６によって無線タグの一つが前に押し出され、シートに刺さる。さらに上部１９０２を押し付けると、曲げガイド部１９１２によって、無線タグの足が内側あるいは外側に曲げられ、無線タグがシートに接続される。
【実施例１１】
【００３１】
本実施例は、紙などを金属のワイヤーで留めるホッチキスに似ている。しかし、装着するものが金属のワイヤーではなく保護すべきＩＣを有する無線タグであること、曲げガイド部１９１２で足を内側に曲げる場合以外に、外側に曲がる実施例があることが異なる。また、無線タグをシートに差し込んだ際、無線タグからデータを読み込んだり、書き込んだりすることが必要となる。リーダライタ部１９１４は、無線タグ装着装置の頭部につけられ、無線タグをシートに装着したあと、あるいは、装着する前に、無線タグのデータの読み書きを行う。書き込むデータや読み込むデータは、リーダライタ部１９１４の制御装置１９２２に保存される。また、必要ならば、読取ったデータを別の装置に送るための送信部を有する。
【実施例１２】
【００３２】
無線タグの足を曲げる機構について、図２５を使って説明する。無線タグ２６０２は、押し出し部２６１４と２６１６によって、下に押し出される。無線タグのアンテナ２６０４と２６０８を曲げた足２６０６と２６１０は、商品などのシート２６１２に刺さり、さらに貫通して、曲げガイド部２６１８と２６２０に届く。上部２６２２を下部２６２４にさらに押し付けることにより、押し出し部２６１４と２６１６が無線タグ２６０２をさらに下に押し付け、足２６０６と２６１０は、曲げガイド部２６１８と２６２０のガイドに従って、外側に曲げられ、図９のようにシート２６１２に固定される。押し出し部２６１４と２６１６は、無線タグ２６０２のＩＣチップを内蔵した部分を保護するように間があき、アンテナ２６０４と２６０８の水平部（水平な部分）に接して押し付ける。これにより、無線タグ２６０２は図１８の格納部１９０６から押し出される。
【実施例１３】
【００３３】
本発明の無線タグは、いろいろな種類の商品（或いは商品に付随する商品付随物）につけられる。また、その商品はいろいろな種別に分けられる。このような要求を満足するための無線タグのデータの実施例を図１９に示す。サービス識別子２００４は、特定の商品やサービスを示すものである。サービスデータ２００６は、特定の商品やサービスでの種別などを示すために使われるデータ領域である。これらは商品あるいはサービスを識別するための情報であり、二進数で表したＮビットの検査情報２００２として無線タグの記憶部に記憶される。
【００３４】
本発明の無線タグは輻輳制御を持たないものが前提である。輻輳制御を持たない無線タグは、無線タグのＩＣチップの中に、輻輳制御回路が必要でないため、安価になる。ここで、複数の無線タグのデータを個別に取り出すことができないことという問題が生じる。しかし、無線タグの通信で使用しているマイクロ波の電気的特性を使うと、輻輳制御機構をもたない無線タグでも、リーダライタ（リーダ）が複数の無線タグを読取ってしまう状況においても、種別の区別や無線タグの個数の確認を限られた範囲ではあるが行うことができる。本発明では、無線タグのデータの設定を工夫することにより、輻輳制御機能に代わるいくつかの機能を実現する。
【実施例１４】
【００３５】
リーダライタで無線タグのデータを読み出すために、マイクロ波を送ると、無線タグは無線タグの中のデータをマイクロ波でリーダライタに送り返す。その際、輻輳制御を持たない複数の無線タグがリーダライタからマイクロ波を受けると、複数の無線タグがデータをマイクロ波で返し始める。リーダライタは複数の無線タグのマイクロ波を同時に読むため、個々の無線タグのデータを識別することができなくなる。実際には、複数の無線タグから送られてきたマイクロ波のデータの論理和（“１”がＨｉｇｈである正論理の場合）を取った形で読取られる。たとえば、無線タグ１が“０１０１”というデータを送信し、無線タグ２が“１０１０”というデータを送信すると、リーダライタでは“１１１１”というデータを読取ることになる。リーダライタ側は、図２４に示すように無線タグに一定の間隔でマイクロ波を送る。２５０２および２５０４、２５０６、２５０８は、無線タグにマイクロ波を送っていない時間帯であり、２５１０および２５１２、２５１４は、リーダライタから無線タグにマイクロ波を送っている時間帯である。実際の波形は、２５１０の区間はマイクロ波が出ている時間帯であり、実際にはマイクロ波の波形となっている。無線タグはマイクロ波を受けているときに、リーダライタにデータを返す。無線タグは２５１０あるいは２５１２、２５１４の立ち上がりに同期して、データをリーダライタに返す。
【００３６】
あらかじめ定められた個数の商品などの物に無線タグがつけられ、定められた個数が入っていることを確認したいという要望がある。これは、箱の中に複数の物、たとえば、靴などが入っている場合、同じ商品で右足用と左足用が入っていることを、箱を開けずに確かめたいという要望である。また、箱の中に同じ物を二つ入れたことを確かめたいという要望である。本実施例では、右足用あるいは左足用と同じ商品を例にして、説明する。靴は同じであるため、サービス識別子は以下のように同じデータである。データは２進数でのビット表示をしている。
【００３７】
サービス識別子：“００１１”
しかし、右足用と左足用を区別するために、サービスデータの中に以下のような異なった商品識別子を使用する。
【００３８】
右足用の靴の商品識別子：“１０”
左足用の靴の商品識別子：“０１”
箱の外からリーダライタで無線タグを読取ると、３つのケースがありえる。右足用と左足用の靴が箱の中に入っている場合は、読取ると、“００１１１１”というデータを読取ることができる。最初の４ビットのデータはサービス識別子である。二つの無線タグが入っていても、右足用と左足用の靴のサービス識別子は同じであるため、靴のサービス識別子である“００１１”が読取られる。５番目と６番目のビットの“１”はそれぞれ右足用の靴と左足用の靴につけられたタグのサービスデータの商品識別子が読取られたものである。それぞれのビットは論理和をとられ“１”となる。
【００３９】
右足用の靴しか入っていない箱の無線タグを読取ると、“００１１１０”というデータを読取る。また、右足用の靴が二つはいっている場合も同じ“００１１１０”というデータとなる。一方、左足用の靴が一つあるいは二つ入っている箱の無線タグを読取ると、“００１１０１”というデータを読取る。右足用と左足用が入っている場合は、“００１１１１”と読取られるはずであるため、“００１１１０”や“００１１０１”というデータの場合は箱の中の内容物がおかしいということがわかる。このようにサービス識別子とサービスデータの中にある商品識別子を確認することにより、箱をあけずに商品の入れ間違いを検査することができる。
【００４０】
本発明は、本実施例のように二つの種別だけではなく、商品種別を割り当てるビット数を増やすことにより、二つ以上の種別を持つ商品への対応が可能である。たとえば、３つの商品種別の物が入っていることを確認する場合は、３つのビットを使用すればよい。また、同一種別の商品を複数個格納する場合、仮想的に商品種別を分けることにより、同じ商品の複数の存在を確認することができる。このように、商品の種別を識別するための商品識別子として、異なったデータ位置に“１”を割り当てることにより、どの商品種別を格納したかがわかるようになる。本実施例は、種別ごとに“１”を割り当てたものである。負論理であれば、“０”を割り当てる。
【００４１】
当然のことであるが、複数の無線タグの置かれている位置などの影響から、複数の無線タグが同時にデータを返さない場合は、輻輳制御機能が必要ではないケースであるため、問題なく読取ったデータを使って中身を判断することができる。
【００４２】
なお、この方法では、右足用の靴が二つ、左足用の靴が一つ入っているような場合でも、読取ったデータは“００１１１１”となり、右足用の靴と左足用の靴が一つづつ入っている場合と区別することはできない。しかし、靴のような場合、箱の中に右足用の靴が二つ左足用の靴が一つ入るようなスペースはなく、箱の外から外観ですぐにわかる。
【実施例１５】
【００４３】
無線タグのデータを読取り、無線タグのデータの整合性を評価するリーダライタ（リーダ）の実施例を図２０に示す。リーダライタ２１０２は、無線タグのデータを読取るアンテナ２１０４を持ち、アンテナ２１０４からマイクロ波を送信し、無線タグからの応答を読取る。その結果をディスプレイ２１０６に表示する。スイッチ２１０８は、電源スイッチで、押すたびに電源が入ったり、切られたりする。スイッチ２１１０は、無線タグの整合を確認する動作スイッチである。動作スイッチ２１１０を押すと、アンテナ２１０４からマイクロ波が無線タグに送信され、無線タグのデータの読取りを行い、整合性のチェックを行う。読取ったデータがリーダライタの中にあるデータと整合するかを判断し、整合していれば、整合していることをディスプレイ２１０６に表示し、整合していないならば、整合していないことを２１０６に表示する。再度、動作スイッチ２１１０が押されると、無線タグからのデータの読取りを中止する。
【００４４】
商品に無線タグが装着され、その商品が箱などに入っている場合、商品に付いているべきタグの商品識別子と読取った商品識別子が同じであれば、整合性が確認できたとし、箱をあけずに箱に入った商品を確認することができる。この処理を図２１で説明する。リーダライタ２１０２の動作スイッチ２１１０が押されたならば、処理を開始する（２２０２）。再度動作スイッチ２１１０が押されていないならば（２２０４）、無線タグのデータの整合性の検査を繰り返し行う（２２０６）。読取ったデータがリーダライタの中にあるデータと整合性が取れるか否かを検査し（２２０８）、整合していないならば、整合していないことをディスプレイ２１０６に表示する（２２１２）。そして、動作スイッチ２１１０が押されるかどうかを確認し、押されていなければ、再度、整合性の検査を行う。押されていれば、動作を終了する（２２１６）。一方、整合していれば、整合していることをディスプレイ２１０６に表示し（２２１４）、動作を終了する（２２１８）。
【００４５】
たとえば、先の靴の例では、サービス識別子が
サービス識別子：“００１１”
であり、右足と左足用の靴の商品識別子は、
右足用の靴の商品識別子：“１０”
左足用の靴の商品識別子：“０１”
であった。右足と左足用の靴が両方入っている箱の中の無線タグを読取り、
“００１１１１”
を読取ることができれば、右足と左足用の靴の両方が入っていることを確認することができる。５番目と６番目のビットが、それぞれ、右足用の靴と左足用の靴における商品識別子のビットの位置である。両方とも“１”であれば、右足と左足用の靴の両方が入っていることを示している。もし、無線タグが離れていて、右足用の靴の無線タグと左足用の無線タグを別々に読み込んだならば、
“００１１１０”
“００１１０１”
のデータを一つの箱の無線タグから読み込むことができれば、箱の中に右足と左足用の靴の両方が入っていることを確認することができる。もし、一つの箱の中から、
“００１１１０”
“００１１０１”
のどちらかのデータしか読み取ることができなければ、右足用か左足用の靴しか入っていないことがわかる。図２１の整合性の検査２２１０では、右足用と左足用の靴の商品識別子を両方読むことができれば、整合しているとみなす。そのため、右足用と左足用の靴の無線タグを別々に読んだ場合は、読み込んだデータをいったん蓄積し、再度、読み込んだデータと論理的ＯＲを取り、商品識別子が“１１”になれば、整合したとみなす。右足用と左足用の靴の無線タグを同時に読んだ場合は、商品識別子が“１１”となっており、一度の読取りで整合していることがわかる。
【実施例１６】
【００４６】
商品識別子として、１ビットではなく複数のビットを割り当てることもできる。たとえば、パジャマのように上着とズボンが箱の中に入っていることを、箱をあけずに検査するためには、上着とズボンのサイズであるＳ、Ｍ、Ｌに、それぞれ “０１”、“１０”、“１１”の割り振りを行う。そして、上着のサイズをサービスデータの上位２ビット、ズボンのサイズをそれに続く２ビットで表わすとすると、Ｓサイズの組み合わせでは、“０１０１”、Ｍサイズの組み合わせでは、“１０１０”と読取ることができれば、輻輳制御機能がない無線タグを使っても、サイズが妥当であることを確認することができる。本実施例のように、商品の種別によっては、複数のビットを割り当てる方法が必要な場合がある。
【００４７】
パジャマの例のように、商品識別子の“１”のビットが１個でない場合、商品種別が確実に入っていることを確かめるためには、商品識別子以外に、商品種別のデータの“０”の数と“１”の数を商品識別子につける必要がある。パジャマの例では、Ｌサイズのパジャマに、ＬサイズのズボンとＳサイズとＭサイズの上着が入っていると、商品識別子だけを確認すると、“１１１１”となり、Ｌサイズの上着とズボンが入っているように見える。このように、複数のビットを使って商品識別子を割り当てる場合、商品識別子の“０”と“１”のビットの数を二進数で表した商品種別の確認用データ（確認子）を使用する。本実施例では、サイズを示すために２ビット以外に、“０”と“１”のビットの数を示すために、それぞれ２ビットづつ使用する。それぞれのサイズの上着の商品識別子と商品識別子を確認するための確認子のデータは以下のようになる。
【００４８】
Ｓサイズ：“０１０１０１”
Ｍサイズ：“１００１０１”
Ｌサイズ：“１１００１０”
ここで、最初の２ビットは、サイズを示し、次の２ビットは二進数で表した最初の２ビットの“０”の数を示し、最後の２ビットは二進数で表した最初の２ビットの“１”の数を示す。このように確認子を設定すると、ＳサイズとＭサイズの上着が二つはいった場合、無線タグから読取られるデータは、“１１０１０１”となり、確認子が示す“０”あるいは“１”の数と商品識別子の“０”あるいは“１”の数が矛盾するため、Ｌサイズの上着以外のものが入っていることがわかる。なお、確認子として“０”あるいは“１”のビットの数だけを使うか、本実施例のように両方を使うかは、確認するデータに依存する。
【００４９】
複数の靴の商品があり、かつそれぞれに異なったサービス識別子が複数ある場合には、先の実施例の方法では、別の商品の右足の靴と左足の靴が混ざって箱の中に入っていた場合に検出ができない可能性がある。Ａという靴とＢという靴の商品のサービス識別子が以下のようになっていたとする。
【００５０】
Ａ靴のサービス識別子：“００１１”
Ｂ靴のサービス識別子：“００１０”
それぞれの靴の右足用と左足用の靴の種別は前と同じように、サービスデータでの商品識別子は以下のようにする。
【００５１】
右足用の靴の商品識別子：“１０”
左足用の靴の商品識別子：“０１”
このような商品がある場合、Ａ靴用の商品の中にＢ靴の左足用の靴がまぎれた場合、先の実施例では別のサービス識別子を持った商品が混ざったことを識別することはできない可能性がある。サービス識別子と商品識別子を読取った場合、“００１１１１”となり、Ａ靴の右足用と左足用の靴が入っているデータと同じになってしまう。
【００５２】
このような可能性がある場合でも、Ａ靴用の商品の中にＢ靴の左足用の靴がまぎれたことを検知するためには、サービス識別子の“０”のビットの数を二進数で表した確認子をサービス識別子のあとに付加し、サービス識別子の整合性を検査することにより、異なった商品が混在したことを検知する。先の例でのＡ靴とＢ靴のサービス識別子と、サービス識別子の確認用のデータであるサービス識別子確認子として“０”であるビットの数は、以下のようにする。
【００５３】
Ａ靴のサービス識別子＋“０”のビットの数（サービス識別子確認子）：“００１１”＋“０１０”＝“００１１０１０”
Ｂ靴のサービス識別子＋“０”のビットの数（サービス識別子確認子）：“００１０”＋“０１１”＝“００１００１１”
サービス識別子に続く３ビットがサービス識別子の“０”であるビットの数を二進数で表した確認子である（すべて２進数での表示である）。Ａ靴のサービス識別子は、“００１１”であるため、サービス識別子確認子である“０”のビットの数は、“０１０”である。このようにしておくことにより、Ａの靴の右足用の靴とＢの靴の左足用の靴が混在した場合は、
“００１１０１１１１”
となり、サービス識別子の“０”の数とサービス識別子確認子が表す“０”の数の整合性を調べることにより、異なった商品が混在したことがわかる。最初の４ビットの“００１１”はＡ靴のサービス識別子とＢ靴のサービス識別子の論理和となったものである。これだけ見れば、Ａ靴のサービス識別子とみなすことができる。続く３ビットの“０１１”は、サービス識別子の“０”のビットの数を二進数で表す。しかし、この数は、最初の４ビットのサービス識別子を示す４ビットの“０”の数と矛盾する。そのため、この読取りデータから、サービス識別子が異なった靴が入っている可能性があることがわかる。サービス識別子確認子に続く２ビットの“１１”は、右足用と左足用の靴が入っていることを示している。しかし、サービス識別子の妥当性を示すサービス識別子確認子のデータからは、異なった商品の靴が箱の中に入っている可能性が高いことを示している。 
先の実施例では、別の商品のサービス識別子が混ざっているかを確かめるために、“０”のビットの数を二進数で表す確認子を使用したが、パリティチェックやエラーディテクションコードを使用しても実現できる。パリティチェックは、サービス識別子の“１”のビットの数とパリティチェック用のビットを加えると、偶数あるいは奇数になるように、パリティチェック用のビットも値を決める方法である。エラーディテクションコードは、ＣＲＣ（Cyclic Redundancy Check ：巡回冗長検査）方式のようなアルゴリズムを利用した方法である。
【実施例１７】
【００５４】
靴などの商品の種類が複数あるため、サービス識別子が複数ある可能性がある場合のサービス識別子の整合性を確認する実施例を図２３に示す。
【００５５】
リーダライタ２１０２の動作スイッチ２１１０が押されたならば、処理を開始する（２４０２）。再度動作スイッチが押されていないならば（２４０４）、無線タグの読取りを行う（２４０６）。読取ったサービス識別子とサービス識別子確認子が矛盾しているかどうか評価し（２４０８）、矛盾すれば、商品が妥当でないことを表示し（２４１２）、矛盾がなければ、商品の内容が妥当であることを示す（２４１０）。たとえば、先のＡ靴とＢ靴の例では、サービス識別子とサービス識別子の“０”の数を二進数で表す確認子を加えると、データは以下のようであった。
【００５６】
Ａ靴のサービス識別子＋“０”のビットの数を二進数で表す確認子：“００１１”＋“０１０”＝“００１１０１０”
Ｂ靴のサービス識別子＋“０”のビットの数を二進数で表す確認子：“００１０”＋“０１１”＝“００１００１１”
読取ったデータが“００１１０１０”であれば、Ａ靴につけられた無線タグであることがわかり、読取ったデータが“００１００１１”であれば、Ｂ靴につけられた無線タグであることがわかる。それ以外のデータであれば、商品の内容が正常でないことがわかる。
【００５７】
靴を例にした実施例では、間違った物が入っているかを確認することができたが、正しい物が一つではなく、複数入っていることを検知することはできなかった。正しい物が一つ入っていることを確認するためには、商品識別子以外に個品を示す連続データとその妥当性を確認する番号確認子を使用する。
【００５８】
個品番号と番号確認子を使ったデータ構造は、サービス識別子、個品番号、番号確認子の３つのフィールドからなる。個品番号は、個々の商品を識別するための連続番号やランダムな番号であり、二進数で表した所定のビット数を使用する。番号確認子は、個品番号の妥当性を確認するデータであり、個品番号の“０”あるいは“１”のビットの数を二進数で表す。靴の例の実施例では、
靴のサービス識別子＋サービス識別子の確認子＋
右足の商品識別子＋個品番号＋確認子＋
左足の商品識別子＋個品番号＋確認子
となる。右足用の靴であれば、左足の商品識別子と個品番号、確認子は“０”である。右足用の靴の例では以下のようになる。
【００５９】
“００１１  ０１０  １  ００１０１１１０１０  ０１０１  ０  ００００００００００  ００００”
わかりやすくするために、スペースで分割した。最初の“００１１”は、商品Ａ靴を示すサービス識別子、その続きの“０１０”は、サービス識別子の“０”の数を示すサービス識別子確認子、  そのあとの“１”は右足の靴であることを示す商品識別子、それに続く“００１０１１１０１０”は右足の靴の個品番号、そのあとの“０１０１”は個品番号の“０”のビットの数を示す個品番号確認子である。そのあとの３つのフィールドは、左足用のためのフィールドであるため、すべて“０”となっている。左側の靴の無線タグのデータは、たとえば以下のようになっている。
【００６０】
“００１１  ０１０  ０  ００００００００００  ００００  １  ０００１００１１１０  ０１１０”
最初と２番目のフィールドは、右足用の靴の無線タグのデータと同じである。第３、第４、第５フィールドは、右足用のデータであるため、すべて“０”となっている。第６フィールドは、左足を示す商品識別子であり、そのあとの“０００１００１１１０”は、左足の靴の個品番号である。そのあとの“０１１０”は、個品番号の“０”の数を示している個品番号確認子である。
【００６１】
正しく右足用の靴と左足用の靴が一つづつ箱の中に入っている場合は、先の二つの無線タグのデータを同時に読んだ際、以下のようなデータを読み取ることができれば、正しく入っていることを確認することができる。
【００６２】
“００１１  ０１０  １  ００１０１１１０１０  ０１０１  １  ０００１００１１１０  ０１１０”
このデータの最初の“００１１”は、商品Ａ靴を示すサービス識別子、その続きの“０１０”は、サービス識別子の“０”の数を示すサービス識別子確認子であり、そのあとの“１”は右足の靴であることを示す商品識別子で、それに続く“００１０１１１０１０”は右足の靴の個品番号、そのあとの“０１０１”は、個品番号の“０”のビットの数を示す個品番号確認子である。そのあとの“１”は左足を示す商品識別子であり、そのあとの“０００１００１１１０”は、左足の靴の個品番号であり、そのあとの“０１１０”は、個品番号の“０”の数を示している個品番号確認子である。右足用と左足用のサービス識別子及び個品番号とそれぞれの確認子の整合性が取れているため、それぞれの靴は一つづつ入っていることを確認することができる。
【００６３】
もし、右足用の靴が一つ以上箱の中に入っているかを確認するためには、個品番号と個品番号確認子の整合性をとればよい。たとえば、次のような二つの右足用の靴が入っている場合、
“００１１  ０１０  １  ００１０１１１０１０  ０１０１  ０  ００００００００００  ００００”
“００１１  ０１０  １  ００１０１１００１０  ０１１０  ０  ００００００００００  ００００”
同時にこのような二つの無線タグのデータを読んだ場合、個品番号は、“００１０１１１０１０”となり、個品番号確認子は“０１１１”となる。これは、第４フィールドと第５フィールドのデータの論理和がとられたためである。個品番号確認子を確認することにより、個品番号の“０”のビットの数と、個品番号確認子が二進数で表す“０”の数が異なるため、一つ以上の右足用の靴が入っていることがわかる。
【実施例１８】
【００６４】
以上のように、個品番号と“０”のビットの数を表す確認子をつけることにより、商品が複数入っているか否かを検出できる。これは、データの論理和が取られ、“０”のビットの数は、同じ位置に“１”があれば、消えてなくなるが、確認子では、“０”の数を確認に使用しているため、“０”の値が“１”と論理和をとられて消えると、確認子が表す数は減らずに増えてしまうためである。このような確認子をつけた無線タグの整合性の確認の実施例を図２２を用いて説明する。
【００６５】
リーダライタ２１０２の動作スイッチ２１１０が押されたならば、処理を開始する（２３０２）。再度動作スイッチ２１１０が押されていないならば（２３０４）、無線タグの読取りを行う（２３０６）。押されていれば、読取りを終了する（２３１６）。読取ったデータが商品個別番号の整合性に合致する検査する（２３０８）。２３１０で合致していないならば、整合していないことをディスプレイ２１０６に表示する（２３１４）。合致すれば、整合していることをディスプレイ２１０６に表示する（２３１２）。動作スイッチ２１１０が押されるかどうかを確認し、押されていなければ、再度整合評価を行う。
【００６６】
輻輳制御機能がない無線タグを使って、種別の管理や複数個の物が入っていないかを確認するためには、無線タグの装着の順序を定める必要がある場合がある。同じ商品の種別だけを連続生産している場合は、その商品に該当する商品識別子を付けておけばよい。しかし、商品が出来上がってから、無線タグをつける場合などでは、装着の順序が問題になる可能性がある。これを解決するための実施例は、図１８の無線タグ装着装置の無線タグの束を作る際に一定の順番で無線タグを並べて束にすることである。図１４あるいは図１５のように無線タグを束にする場合、靴の例では、右足用と左足用を交互に束にして、装着機械で無線タグを装着する際、装着しやすいようにする。
【００６７】
その他、本発明は本発明の主旨を変えない範囲で種々変更実施可能なことは勿論である。
【図面の簡単な説明】
【００６８】
【図１】非接触ＩＣチップの概略構成図である。
【図２】アンテナをワイヤーで実現した無線タグの説明図である。
【図３】図２の無線タグのアンテナの両端を曲げた例を示す説明図である。
【図４】無線タグのアンテナの一部を商品などのものに差込み、さらに内側に曲げて無線タグを固定した例を示す説明図である。
【図５】無線タグのアンテナをタグから平行にまっすぐに出した例を示す説明図である。
【図６】図５の無線タグのアンテナを商品などのものに差込み、さらに外側に曲げて無線タグを固定した例を示す説明図である。
【図７】無線タグのアンテナの水平な部分を長くした例を示す説明図である。
【図８】図７の無線タグのアンテナを商品などのものに差し込み、さらに内側に曲げて無線タグを固定した例を示す説明図である。
【図９】図７の無線タグのアンテナを商品などのものに差し込み、さらに外側に曲げて無線タグを固定した例を示す説明図である。
【図１０】図３の無線タグを補強した例を示す説明図である。
【図１１】図１０の無線タグのアンテナをプラスチック等の不導電性の物質で覆った例を示す説明図である。
【図１２】無線タグのアンテナをプラスチック等の固定部材に装着した例を示す説明図である。
【図１３】無線タグ束にする前の無線タグの例を示す説明図である。
【図１４】図１３の無線タグを束にして無線タグ束を作成した例を示す説明図である。
【図１５】図１３の無線タグを粘着材で互いにくっつけ無線タグ束を作成した例を示す説明図である。
【図１６】無線タグをビニールのチューブに実装した例を示す説明図である。
【図１７】複数の無線タグをビニールのチューブに実装した例を示す説明図である。
【図１８】無線タグの束を商品などに実装するための無線タグ装着装置の例を示す説明図である。
【図１９】無線タグのデータ構造の例を示す説明図である。
【図２０】無線タグの情報を読取るリーダライタ（リーダ）の例を示す説明図である。
【図２１】無線タグの商品識別子の整合性を確認する処理の例を示すフローチャートである。
【図２２】無線タグの商品個別番号の整合性を確認する処理の例を示すフローチャートである。
【図２３】無線タグのサービス識別子の整合性を確認する処理の例を示すフローチャートである。
【図２４】リーダライタ（リーダ）からのデータ読取り間隔を示した例を示す説明図である。
【図２５】図１８の無線タグ装着装置の詳細図である。
【図２６】無線タグのアンテナをビニールの紐（固定部材）につけ、そのビニールの紐を商品に装着することにより、無線タグを固定した例を示す説明図である。
【図２７】無線タグのアンテナの片方にクリップ（固定部）を設け、そのクリップを商品に装着することにより、無線タグを固定した例を示す説明図である。
【図２８】無線タグのアンテナの片方を折り曲げることにより、商品などに装着した例を示す説明図である。
【符号の説明】
【００６９】
１０２………………………非接触ＩＣチップ
３０２………………………ＩＣチップが組み込まれている部品
３０４、３０６……………アンテナ
４０２………………………ＩＣチップが組み込まれている部品
４０４、４０８……………アンテナ
４０６、４１０……………足
５０２………………………ＩＣチップが組み込まれている部品
５０４、５０８……………アンテナ
５０６、５１０……………足
５１２………………………シート
８０４、８０８……………水平部（水平な部分）
１２１４、１２１６、１２１８、１２２０
……………ビニールチューブなどの不導電性の物質
１３０６、１３１０、１３１４
……………プラスチックの不導電性の線材（固定部材）
１８０８……………………チューブ（長尺な部材）
１９０６……………………格納部
１９１６……………………押し出し部
１９１２……………………曲げガイド部
１９１４……………………リーダライタ部
１９２２……………………制御装置
２１０２……………………リーダライタ（リーダ）
２１０４……………………アンテナ
２１０６……………………ディスプレイ
２１０８……………………スイッチ（電源スイッチ）
２１１０……………………スイッチ（動作スイッチ）
２６１４、２６１６………押し出し部
２６１８、２６２０………曲げガイド部
２７１４……………………ビニールなどの線材（固定部材）
２８０６……………………クリップ（固定部）
【図１】
2005209215.tif 000003
【図２】
2005209215.tif 000004
【図３】
2005209215.tif 000005
【図４】
2005209215.tif 000006
【図５】
2005209215.tif 000007
【図６】
2005209215.tif 000008
【図７】
2005209215.tif 000009
【図８】
2005209215.tif 000010
【図９】
2005209215.tif 000011
【図１０】
2005209215.tif 000012
【図１１】
2005209215.tif 000013
【図１２】
2005209215.tif 000014
【図１３】
2005209215.tif 000015
【図１４】
2005209215.tif 000016
【図１５】
2005209215.tif 000017
【図１６】
2005209215.tif 000018
【図１７】
2005209215.tif 000019
【図１８】
2005209215.tif 000020
【図１９】
2005209215.tif 000021
【図２０】
2005209215.tif 000022
【図２１】
2005209215.tif 000023
【図２２】
2005209215.tif 000024
【図２３】
2005209215.tif 000025
【図２４】
2005209215.tif 000026
【図２５】
2005209215.tif 000027
【図２６】
2005209215.tif 000028
【図２７】
2005209215.tif 000029
【図２８】
2005209215.tif 000030